(57)【要約】【課題】  水槽にいる複数の遊泳性水生生物の個体の大きさによる分別、分取を、人力に頼ることなく、そして生物を大気中に取り出すことなく行う遊泳性水生生物分別装置を提供する。【解決手段】  水槽１と分取容器４を２つの流路３及び６で繋ぎ、その２つの流路にメッシュサイズの異なるスクリーン２及び５を設置する。そして一方の流路に設置する水流発生機構７により水槽１と分取容器４とに循環水流を起こし、目的の大きさの個体を分取容器４へ誘導、分別する。さらに、生物の通過を検出する検出器と逆止弁あるいは制御弁を流路に設置、そして分取容器を交換する機構の設置により、目的の大きさの個体を複数の分取容器へ分取する。【選択図】図１
2005151961.tif 000002
【特許請求の範囲】
【請求項１】
大きさの異なる個体が混在する複数の遊泳性水生生物を含む水槽から、その生物集団内で中間の大きさ、あるいは小さい側の個体を遊泳状態のまま分取容器へ分ける遊泳性水生生物分別装置であって、前記の水槽から分取容器への送り流路と、分取容器から水槽への戻り流路と、水流発生機構からなる循環水流構造を有し、送り流路には目的の大きさ以下の個体だけが通過できる大メッシュのスクリーンを有し、戻り流路には目的の大きさの個体が通過できない小メッシュのスクリーンを有し、循環水流の流量と、送り流路の下流端の開口面積と、小メッシュのスクリーンの面積が、送り流路の下流端において目的の個体が遡ることのできない流速となるよう、そして小メッシュのスクリーン表面において目的の個体が離脱できる流速となるよう設定されることを特徴とする遊泳性水生生物分別装置。
【請求項２】
前記の送り流路に目的の大きさの個体の通過を検出する検出部を有し、送り流路と戻り流路に停止時流通不可あるいは停止時逆流不可の水流発生機構、あるいは逆止弁、あるいは電磁弁を有し、また、送り流路の下流端と戻り流路の上流端をひとまとまりとする吐出部を複数の分取容器各々へ移動させる機構あるいは分取容器を移動させる機構からなる分取容器交換機構を有し、そして検出部の検出数に応じて電磁弁と水流発生機構と分取容器交換機構の動作を制御する制御部を有することを特徴とする請求項１記載の遊泳性水生生物分別装置。
【発明の詳細な説明】
【技術分野】
【０００１】  この発明は、水槽にいる複数の遊泳性水生生物の中から目的の大きさの個体を遊泳状態のまま分別、分取するための装置に関する。
【背景技術】
【０００２】  水槽にいる複数の遊泳性水生生物の中からの目的の個体の分取は、網やスポイト等を用いて人力により行われている。
【発明の開示】
【発明が解決しようとする課題】
【０００３】  上記の人力による作業においては、目的の個体を追って捕らえる難しさと労力が伴う。そして、比較的容易である網による分取においては、生物が網と接触、そして掬われる際の水流により生物体が損傷する可能性及び、水槽から独立した分取容器へ運ばれる際に水中から大気中へ取り出されることによる悪影響の懸念がある。魚類や甲殻類などの水生生物に対する毒性試験においては、大きさの揃った数十〜数百匹の個体を無傷で取り分ける必要があり、多大な労力を要している。【０００４】  そこで、この発明は、遊泳性水生生物の個体の大きさによる分別、分取を、人力に頼ることなく、そして生物を大気中に取り出すことなく行う遊泳性水生生物分別装置を提供することを課題とする。
【課題を解決するための手段】
【０００５】  以上の課題を解決するために、第一発明は、大きさの異なる個体が混在する複数の遊泳性水生生物を含む水槽から、その生物集団内で中間の大きさ、あるいは小さい側の個体を遊泳状態のまま分取容器へ分ける遊泳性水生生物分別装置であって、前記の水槽から分取容器への送り流路と、分取容器から水槽への戻り流路と、水流発生機構からなる循環水流構造を有し、送り流路には目的の大きさ以下の個体だけが通過できる大メッシュのスクリーンを有し、戻り流路には目的の大きさの個体が通過できない小メッシュのスクリーンを有し、循環水流の流量と、送り流路の下流端の開口面積と、小メッシュのスクリーンの面積が、送り流路の下流端において目的の個体が遡ることのできない流速となるよう、そして小メッシュのスクリーン表面において目的の個体が離脱できる流速となるよう設定されることを特徴とする遊泳性水生生物分別装置である。【０００６】  また、第二発明は、第一発明からなる遊泳性水生生物分別装置であって、送り流路に目的の大きさの個体の通過を検出する検出部を有し、送り流路と戻り流路に停止時流通不可あるいは停止時逆流不可の水流発生機構、あるいは逆止弁、あるいは電磁弁を有し、また、送り流路の下流端と戻り流路の上流端をひとまとまりとする吐出部を複数の分取容器各々へ移動させる機構あるいは分取容器を移動させる機構からなる分取容器交換機構を有し、そして検出部の検出数に応じて電磁弁と水流発生機構と分取容器交換機構の動作を制御する制御部を有することを特徴とする遊泳性水生生物分別装置である。
【発明の効果】
【０００７】  第一発明によれば、循環水流と２種類のスクリーンにより、水槽内の複数の遊泳性水生生物のうち目的の大きさ以下の個体だけが分取容器へ入り、目的の大きさの個体は分取容器から出ることができないために分取容器内に留まることとなる。分取容器内には目的の大きさ未満の個体も存在できるが、それらを無視する場合あるいは水槽内の生物集団のうち小さい側の個体を目的とした場合においては、人力に頼らず分別したこととなる。そして、これら全ての過程において、目的の個体は水中から大気中へ取り出されることなく、また、スクリーンに詰まることなく、常に遊泳状態である。【０００８】  第二発明によれば、分取容器へ向かう目的の大きさの個体を検出部が検出し、制御部が累積検出数に応じて水流を制御、そして分取容器交換に関わる機構を作動させることにより、人力に頼らず目的の大きさの個体が複数の分取容器に分取される。
【発明を実施するための最良の形態】
【０００９】  請求項１の発明に係る一実施形態を、図１に示す。水槽１内の水と分取容器４内の水は、送り流路３と戻り流路６で繋げられている。水槽１内の水と分取容器４内の水を図中矢印方向の流れとして循環させるため、戻り流路６に水流発生機構７が設置されている。送り流路３には、目的の大きさ以下の個体だけが通過できる大メッシュのスクリーン２が設置されている。戻り流路６には、目的の大きさの個体は通過できない小メッシュのスクリーン５が設置されている。水流発生機構７の流量と、送り流路３の下流端の開口面積と、小メッシュのスクリーン５の面積は、送り流路３の下流端において目的の個体が遡ることのできない流速となるよう、そして小メッシュのスクリーン表面において目的の個体が離脱できる流速となるよう設定しておく。【００１０】  請求項２の発明に係る一実施形態を、図２に示す。図２は、分別、分取対象の生物種をオオミジンコとし、体の小さい生後２４時間以内の仔ミジンコ１８と、仔よりも大きい親ミジンコ１９と、それらの餌である植物プランクトンが混在する水槽１から、仔ミジンコ１８を分取容器４へ５匹ずつ分けることを目的とした実施例である。植物プランクトンは無視するものとし、分取容器４の全容量は１ｍｌとしている。【００１１】  送り流路３の上流端に設置された大メッシュのスクリーン２は、親ミジンコ１９が通過できないメッシュであり、発明者は、対角線で１ｍｍと３ｍｍの菱形のメッシュを採用している。また、送り流路３の上流端の漏斗形の部分は、送り流路３内の気泡排除時とスクリーン交換時のために着脱式としている。送り流路３の途中に設置された電磁弁８は、ミジンコが滞留しない構造とし、発明者は、デッドボリュームの無いチューブピンチ式を採用している。送り流路３の途中に設置された検出部のフローセル９は、そこを通過する仔ミジンコの移動線が一定となるよう、仔ミジンコが通過できる最小径とし、発明者は内径約０．５ｍｍとしている。またその材質としては、スチロール樹脂、ポリプロピレン等の合成樹脂を採用している。フォトインタラプタ１０は、フローセル内のミジンコの通過を検出し、低濃度の植物プランクトンは検出しないものである。【００１２】  送り流路３の下流端と戻り流路６の上流端は、吐出部１１にまとめられ固定されている。吐出部１１は、ＸＹＺ軸移動機構１２により分取容器トレイ１３上を移動し、分取容器トレイ１３の分取容器４各々に、送り流路３の下流端と戻り流路６の上流端が挿入される。分取容器トレイ１３は、複数の分取容器が一定間隔で並べられるものである。作業上便利なように着脱式としている。【００１３】  戻り流路６の上流端に設置された小メッシュのスクリーン５は、仔ミジンコが通過できないメッシュであり、発明者は、一辺約０．３ｍｍの三角形のメッシュを採用している。【００１４】  水流発生機構７は、停止時に流通不可となるローラーポンプを採用している。そして、分取容器４内の仔ミジンコが送り流路を遡ることなく、また、小メッシュのスクリーン５に吸い付けられることのないよう、水流発生機構７の流量を毎分１０ｍｌ前後に、送り流路３の下流端の開口面積を約３ｍｍ２に、小メッシュのスクリーン５の面積を約３０ｍｍ２としている。また、水槽１の水面と、吐出部１１と分取容器４の高さは、水循環時に分取容器４の水面が安定するよう調整しておく。【００１５】  制御部１４は、仔ミジンコを何匹ずつ分けるか等の設定を行うユーザーインターフェースを有する。そしてフォトインタラプタ１０の検出信号を受けてその検出数を累積し、設定値に至るまでは水流発生機構７を“作動”に、電磁弁８を“開”とする。検出数が設定値に至ると水流発生機構７を“停止”、電磁弁８を“閉”としてＸＹＺ軸移動機構１２を作動させ、送り流路３の下流端と戻り流路６の上流端が新たな分取容器内へ挿入されると水流発生機構７を“作動”、電磁弁８を“開”とする。また、吐出部１１の位置情報をＸＹＺ軸移動機構１２から受け、適宜制御を行う。【００１６】  蛍光灯１５は、ミジンコの光誘引性を利用して、ミジンコが大メッシュのスクリーン２付近に集まるよう設置されている。給水タンク１６と水位センサー付き電磁弁１７は、水槽１の水位を一定に保つために設置されている。給水タンク１６の容量は、全分取容器の総容量に対応している。【００１７】「他の実施形態」
図１の実施形態では、送り流路３と戻り流路６は、水槽１と分取容器４の側面で上下に位置しているが、左右であっても、あるいは図２のように水槽１と分取容器４の上方開放口に位置していても良い。また、水流発生機構７は、目的の大きさの個体が通過できるものであれば送り流路３に設置されても良い。【００１８】  図２の実施形態では、各部の仕様は、分別、分取対象の生物種、目的に適宜合わせたものとなる。図２の実施例においては、目的を達成するものであれば図２のとおりでなくても良い。水流発生機構７と電磁弁８は、設置位置が逆であっても、方式が前記と異なるものであっても良い。検出部は、フローセル９とフォトインタラプタ１０で構成されるものでなくても良く、例えば電気抵抗法によるものであっても良い。分取容器交換機構は、吐出部のＸＹＺ軸移動機構１２によるものでなくても良く、例えば吐出部の上下動機構と分取容器トレイの回転機構によるものであっても良い。蛍光灯１５と給水タンク１６、水位センサー付き電磁弁１７は、必要に応じて設置すれば良い。
【図面の簡単な説明】
【００１９】
【図１】請求項１の発明に係る一実施形態を示す概略図である。
【図２】請求項２の発明に係る一実施形態を示す概略図である。
【符号の説明】
【００２０】１‥‥水槽、２‥‥大メッシュのスクリーン、３‥‥送り流路、４‥‥分取容器、５‥‥小メッシュのスクリーン、６‥‥戻り流路、７‥‥水流発生機構、８‥‥電磁弁、９‥‥フローセル（検出部）、１０‥‥フォトインタラプタ（検出部）、１１‥‥吐出部、１２‥‥吐出部のＸＹＺ軸移動機構（吐出部の移動方向を指す二点鎖線の矢印をもって示す）、１３‥‥分取容器トレイ、１４‥‥制御部（制御部と接する実線の矢印は、指令信号線と指令方向を示す）、１５‥‥蛍光灯、１６‥‥給水タンク、１７‥‥水位センサー付き電磁弁、１８‥‥仔ミジンコ、１９‥‥親ミジンコ
【図１】
2005151961.tif 000003
【図２】
2005151961.tif 000004